(57)【要約】  本発明の目的は、少なくとも１台の機械（80）と少なくとも１つの機械制御部（100; 90, 95）とを有する電気機械駆動制御システムの駆動を改良することである。起動は、保守サービスの間により迅速でより信頼性の高い装置の交換が可能であるように行われるのがよい。第一の、又は新しい起動ための方法が提供される。複数の制御部材（12）用の複数の第一のパラメータと、駆動制御システムのユーザーに特有の複数の第二のパラメータとを有する、機械に関係するデータを保存するためのブートメモリ領域（50）が与えられる。前記第一及び第二のパラメータは前記ブートメモリ領域に永久的に保存される。保存領域（50）はモジュールに編成され、該モジュールは前記機械制御部（100; 90, 95）から一度以上取り外すことができ、又、機械制御部に一度以上挿入することができる。このモジュールのブートメモリ領域（50）から前記機械制御部（95）に機械に関係する全データが送信される。【選択図】          図１
2009500996.tif 000002
【特許請求の範囲】
【請求項１】
少なくとも１台の機械（80, 81）と少なくとも１つの機械制御部（100; 90, 95）とを有し、特に最初の起動、又は装置又は部品が交換された後に実行される新しい起動のための、電気機械駆動制御システムを起動する方法であって、
(a) 複数の制御部材（12）用の複数の第一のパラメータと、駆動制御システムのユーザーに特有の複数の第二のパラメータとを有する、機械に関係するデータを保存するためのブートメモリ領域（50）を与え、
(b) 前記ブートメモリ領域の前記第一及び第二のパラメータは永久的に保存され、前記ブートメモリ領域（50）がモジュールに編成されるかモジュールに割り当てられ、該モジュールは前記機械制御部（100; 90, 95）から一度以上取り外すことができ、又、機械制御部に一度以上挿入することができ、
(c) 前記モジュールのブートメモリ領域（50）から前記機械制御部（95）に機械に関係する全データが送信されること
を特徴とする方法。
【請求項２】
前記第一及び第二のパラメータが、機械（80）及び機械制御部（100; 90, 95）の動作に必要な全パラメータを有していることを特徴とする、請求項１に記載の方法。
【請求項３】
前記ユーザーに特有の第二パラメータが、ユーザー・プログラムとして駆動制御システムの各アプリケーションに特定である、ユーザーに特定のプログラムを含むことを特徴とする、請求項１又は２に記載の方法。
【請求項４】
前記機械制御部（95, 100）が、その起動に応答して前記ブートメモリ領域（50）から前記第一及びユーザーに特有の第二パラメータを読み出して、該パラメータを送信し、機械制御部（95, 100）のメインメモリに設けられたミラーブートメモリ領域（50a）に該パラメータを保存するように、その起動前に、設計されており、前記ミラーブートメモリ領域にある機械に関連するデータの全てが書き換えられることを特徴とする、先行する請求項のいずれか一項に記載の方法。
【請求項５】
機械に関係するデータの送信と共に、前記ミラーブートメモリ領域（50a）にあるユーザー・プログラムが、ユーザーに特有の第二のパラメータの一部としてブートメモリ領域（50）からのユーザー・プログラムデータと共に少なくとも部分的に書き換えられることを特徴とする、請求項３又は４に記載の方法。
【請求項６】
前記機械制御部のメインメモリ（50a）に保存されているユーザー・プログラムデータが、ユーザー・プログラムの動作パターンの変化を目的として、外部から変化させられることを特徴とする、請求項５に記載の方法。
【請求項７】
前記外部からの変化は、ＰＣツールの影響下に行われることを特徴とする、請求項６に記載の方法。
【請求項８】
前記ミラーブートメモリ領域（50a）からブートメモリ領域（50）へとユーザー・プログラムの少なくとも一部が送信され、保存されているユーザー・プログラムの対応する部分がそこで書き換えられることを特徴とする、請求項６に記載の方法。
【請求項９】
各完全なユーザー・プログラム、例えば制御プログラム又はモニタプログラムが送信され、書き換えられることを特徴とする、請求項８に記載の方法。
［請求項９ａ］
前記機械制御部上に、又は回路基板（１）上にベースとして、ブートメモリ領域の挿入及び除去を行うために接続片（15）が配置されており、該接続片（15）は機械的なホルダと電気的インターフェースを有していることを特徴とする、請求項１に記載の方法。
［請求項９ｂ］
前記ブートメモリ領域（50; 50’; 50”）を挿入又は除去するための細長い溝が設けられていることを特徴とする、請求項１に記載の方法。
［請求項９ｃ］
挿入されたブートメモリ領域（50）に応答して、機械に関係するデータがブートメモリ領域から機械制御部に送信され、その後に、又は引き続いて機械制御部の動作開始が行われることを特徴とする、請求項１に記載の方法。
【請求項１０】
少なくとも１台の機械と、該機械に割り当てられた複数の特定の制御部材（12）を備えた少なくとも１つの機械制御部（90, 95; 100）とを有する、電気機械駆動システム（80; 100）を起動する方法であって、
(a) 前記複数の制御部材（12）用の複数の第一のパラメータと、駆動システムのユーザーに特有の複数の第二パラメータとを少なくとも有する、機械に関係するデータを読み出し可能に保存するためのブートメモリ領域（51）を与え、
(b) 前記ブートメモリ領域（51）の前記第一及び第二のパラメータは永久的に保存され、前記ブートメモリ領域が前記機械制御部から物理的に（かなり）離れており、特に、機械制御部（100）には配置されておらず、機械に関係するデータを双方向に送信するデータネットワーク接続部（15’）を介して前記機械制御部（95; 100）に連結されていること
を特徴とする方法。
【請求項１１】
第一の起動の前にブートメモリ領域（50）に保存されている前記第一及び第二のパラメータが、個々のアプリケーションに完全に特有ではないデフォルト設定であることを特徴とする、先行する請求項のいずれか一項に記載の方法。
【請求項１２】
第一の起動の前に、第一及び第二のパラメータが前記機械の型（80）に特有であって、該機械の型に関してのみ適合していることを特徴とする、請求項１１に記載の方法。
【請求項１３】
取り外して再度挿入することのできる、モジュールとしての前記ブートメモリ領域が、各々が相互に独立であると共に別々に取り外すことができる、２つのブートメモリ領域（50’, 50”）に分割されることを特徴とする、請求項１に記載の方法。
【請求項１４】
前記ブートメモリ領域のメモリサイズが１０ＭＢ未満であり、特に５ＭＢより小さいメモリ容量を有していることを特徴とする、請求項１３又は１に記載の方法。
【請求項１５】
ブートメモリ領域（50）を有するモジュールを動作中の機械駆動制御システム（80, 100）に挿入することによって、前記機械制御部（95）にあるミラーブートメモリ領域（50a）から該ブートメモリ領域（50）へのモータに特定のデータの送信が開始されることを特徴とする、請求項１に記載の方法。
【請求項１６】
ブートメモリ領域（50a）を動作中の機械駆動制御システム（80, 100）に挿入することによって、メインメモリのミラーブートメモリ領域（50a）にある１つのモータに特定のデータをブートメモリ領域（50）にある対応するモータに特定のデータと比べる比較が開始されることを特徴とする、請求項１に記載の方法。
【請求項１７】
前記２つのメモリ領域にあるモータに特定のデータの異なる部分のみのデータ照合が、機械制御部（95）の前記ミラーブートメモリ領域（50a）から前記ブートメモリ領域（50）へと１つのモータに特定のデータを送信することによって行われることを特徴とする、請求項１６に記載の方法。
【請求項１８】
ユーザー・プログラムが前記第二のパラメータの一構成要素であることを特徴とする、請求項１０に記載の方法。
【請求項１９】
機械に関係するデータの送信に続いて、保存されているデータの変更が、特に、保存されているユーザー・プログラムの少なくとも一部を変更するために行われることを特徴とする、請求項１０又は１８に記載の方法。
【請求項２０】
前記ブートメモリ領域（50, 51）が電源の故障から保護されていることを特徴とする、請求項１又は１０に記載の方法。
【請求項２１】
機械に関係する少なくともいくらかのデータのデータ照合が、現在の又はアップデートされた第一及び／又は第二のパラメータを機械制御部（100; 95）からブートメモリ領域（50, 51）に送信することによって駆動制御システム（80, 100）の通常の動作において行われ、対応する第一及び第二のパラメータはブートメモリ領域でそれぞれ書き換えられることを特徴とする、先行する請求項のいずれか一項に記載の方法。
【請求項２２】
前記データ照合の間にユーザー・プログラムデータがブートメモリ領域中で書き換えられることがないことを特徴とする、前記請求項２１（但し請求項５〜９は除外する）に記載の方法。
【請求項２３】
その起動に応答して、起動の前に前記ブートメモリ領域（50, 51）から前記第一及び第二のパラメータを読み出して、機械制御部（95, 100）のメインメモリに与えられた特定のミラーブートメモリ領域（50a）に保存し、そこにある機械に関係するデータの全てをそれぞれ書き換えるように設計されていることを特徴とする、先行する請求項のいずれか一項に記載の方法。
【請求項２４】
前記ブートメモリ領域（50, 51）から前記ミラーブートメモリ領域（50a）への送信が完了した後に、前記第一及び第二のパラメータ、特にミラーブートメモリ領域（50a）にユーザーに特有のプログラムを有する機械制御部（100）の制御部（95）を介して、機械（80）の制御が行われることを特徴する、請求項２３に記載の方法。
【請求項２５】
前記ブートメモリ領域（50, 51）を介在させない、直接的な機械（80）制御は行われないことを特徴とする、請求項２３又は２４に記載の方法。
【請求項２６】
前記ミラーブートメモリ領域（50a）にある有効なパラメータ及び／又は有効なプログラムの識別によって、ブートメモリ領域（50）から該ミラーブートメモリ領域への送信を誘発することを特徴とする、請求項２３に記載の方法。
【請求項２７】
機械駆動制御システム（95, 100）の作動開始プロセスがブートメモリ領域からの送信を開始させることを特徴とする、請求項２３又は２６に記載の方法。
【請求項２８】
機械駆動制御システムの動作停止プロセスがミラーブートメモリ領域からブートメモリ領域への送信を開始させることを特徴とする、請求項２３、２６又は２７に記載の方法。
【発明の詳細な説明】
【技術分野】
【０００１】
本発明は、モータで駆動される駆動制御システムで使用される数多くの方法に関する。前記モータで駆動される駆動制御システムは、駆動装置としての少なくとも１台の機械と機械制御部とを含み、該機械制御部は電力要素と制御要素とを有している。本発明の方法は連続的な起動を可能にし、また、改良する。ここにおいて、「起動」という用語は一般的な用語として理解されるべきである。このような起動は前記機械駆動制御システムの初期起動のみでなく、機械制御部の保守又は欠陥のある部品を交換した後の新しい起動又は繰り返して行われる起動をも意味する。
【背景技術】
【０００２】
最先端の技術において、費用効率の良い方法で起動を行うのは困難であることがわかっている。
【０００３】
機械と機械制御部とからなる確立されたシステムの起動操作は、目下のところ、常にコンソールを必要とする。たいていの場合、これは、訓練され、熟練した使用者によって使用される操作者用コンソールを有するＰＣ又はディスプレイユニットであり、インターフェースを介して機械とユーザー環境に合わせて機械制御部を設定する。かなりの程度までこのような設定は自動化されており、即ち、それらは大部分、自己設定または自己識別である。しかしながら、駆動工学に経験があって設定しなければならないユーザー環境の可能性と必要性がわかっている訓練された使用者又は技術者による起動は、常にそのような識別の基礎をなしている。
【発明の開示】
【発明が解決しようとする課題】
【０００４】
本発明の目的は、起動を単純化することである。特に、保守に際しては迅速で信頼性のある装置の交換が可能になり、同一のユーザー環境で後から再び起動を行うためには有能な操作スタッフがもはや必要ではなくなるような方法で起動することが出来るようにすることである。連続的な起動は、特別な知識が必要ではなく、起動のために訓練を受けた技術者が現場に来る必要がなく、インターフェースを介した機械駆動環境の予備設定を行うために、追加的な操作要素又は操作装置をポートにつないだり接続したりする必要がないように行うことが出来る。
【課題を解決するための手段】
【０００５】
この目的は、請求項１又は10による解決法によって達成される。この方法は、ブートメモリ領域と、このブートメモリ領域から機械制御部であるユーザー環境へと機械に関連するデータを送信することとによって機能する。本発明では、機械の動作を制御する機械制御部によって使用される通常のメインメモリの少なくとも１セクションに対応するミラーブートメモリ領域が用意される。
【０００６】
「機械に関係するデータ」とは、駆動制御システムに関連する、少なくとも第一のパラメータと各ユーザーに特有の多数の第二のパラメータである。第一のパラメータは設定を定める設定値である。第二のパラメータは、ユーザー・プログラム（又はその一部）も含み得る各ユーザーに特有のパラメータである（請求項３、請求項５）。
【０００７】
ユーザー・プログラムは特定のものであり、それぞれ特定のアプリケーションに適応している。この適応によって、ブートメモリ領域から得たデータを、起動を司るミラーブートメモリ領域へと移すのが可能になる。ここにおいて、ミラーブートメモリへのこのデータの転送（と保存）のみによって起動プロセスが実質的に終了する。
【０００８】
次いで、さらなる適応が機械制御部そのものによって、自己識別又は自己設定を介して行われ、それによって適切に変化された第一パラメータがミラーブートメモリ領域における同じメモリセルの値を書き換える。
【０００９】
「機械に関係するデータ」の書き換えは、データが機械を操作するのに必要且つ十分であるように行われる。機械に関係するデータはこのように必要なデータの全てであり、操作に利用することが出来なければならない。同時に、これらは十分なデータとユーザー・プログラムであり、これによって駆動環境の通常の操作の開始が可能になる。これらは少しのデータ又は少しのパラメータであるのみならず、それがなければ起動とユーザー環境の動作とが可能ではないような、機械に関係するデータとして真に関連性のあるパラメータである。
【００１０】
機械制御部に対して、ブートメモリ（領域）そのものを取り外すことができる。即ち、機械制御部にブートメモリを取り外して再び挿入することができる（請求項１）。他の変形例として、このブートメモリ領域は、少なくとも機械制御部に配置されていないリモートメモリ（領域）であり、それ故に、前記機械制御部から取り外すこともできない。代わりに、機械制御部から距離をおいて、好ましくは非常に長い距離をおいて配置されており、データネットワーク接続部を介してのみ到達することができる（請求項10）。
【００１１】
しかしながら、物理的な距離は論理的な近さの障害にはならない。起動のためにデータネットワーク接続部を介して機械に関係するデータが最初に送られ、起動に応答してデータネットワーク接続部を介して該データが機械制御部のミラーブートメモリ領域に書き込まれる（請求項19）。
【００１２】
データネットワーク接続部による送信は、機械に関係するデータの全てに関して双方向性であり、このデータも起動の後、また、通常の動作中にアップデートすることができる。即ち、メインメモリのミラーブートメモリ領域においてのみアップデートが行われるのではなく、データネットワーク接続部(請求項10)、またはプラグ接触部（請求項１）を介して機械制御部によってデータをアップデートすることができる。
【００１３】
したがって、この操作は、動作環境で獲得された経験が変化させられたパラメータの形態、又は変換された規則の形態において、フィードバックされることを保証する。このフィードバックのプロセスが、適切なメモリセルが書き換えられてブートメモリ領域でアップデートされるデータ同一化である。
【００１４】
本発明は、このようにして、ユーザー環境が後に変化することによって、即ち、機械、機械制御部、又はこの機械制御部の部品を後に交換することによって、既に学習され、アプリケーションに非常に固有であり、しかも正確に適合する、第一及び第二の性質のパラメータを再度学習する必要も再度入力する必要もなく、新しい起動を行うことはできない、という事実を前提として創作された。代わりに、このようなパラメータを、新しい起動に応じて、ブートメモリ領域からミラーブートメモリ領域に送り戻すことができる。このようなパラメータはブートメモリ領域に保存することができ、２度目以降の起動であるにも関わらず、この発明を適用することができれば、部品の交換などなかったかのように機械の設定を準備することができる。
【００１５】
このようにして、連続的な起動をより容易に行うことができるようになり、有能な操作スタッフは稀にしか、実際上、殆ど必要にならず、起動と新しい起動には特別な知識が殆ど求められなくなり、なおかつ、部品等の交換を安全に、信頼性高く行うことができるようになる。「保守のため」がもはや長いサービス停止の理由にはなることはなく、現場の責任者又はユーザー自身によって新しい起動を行うことができるようになる。
【００１６】
したがって、メモリモジュールが、駆動制御部の固定型の取り外し不能な部品ではなく、駆動制御部から離して配置されているか、プラグを抜くことによって駆動制御部から取り外して除去することができるものであると望ましい（請求項9a, 9b）。
【００１７】
後者の持ち運び可能なメモリは、電力供給の不具合に対して安全である。即ち、このようなメモリは、リモートメモリ領域としては自明なことであるが、駆動装置と一緒に電源が切れることがなく、駆動装置とは独立して動作する、永久的な保存用として設計されている。
【００１８】
メモリ領域は、駆動環境に必要なユーザーに特有のパラメータとプログラムとの全てを含んでいる。１回目の起動に応答して（そして、続く各起動に応答して）第一及び第二のパラメータが、先に記載したように、ブートメモリ領域からミラーブートメモリ領域へと一度に送信される。ミラーブートメモリ領域における無効なパラメータ及び無効なプログラムの存在（請求項26）は、機械にとって最初の送信であることを示している。このような送信が一度行われると、機械制御部のその後の制御がミラーブートメモリ領域からのみ行われる（請求項24）。
【００１９】
ブートメモリ領域の外側で、第一又は第二のパラメータ、特にユーザー・プログラムについて制御を行うのは避けなければならない。通常の操作の前に、後者はミラーブートメモリ領域内にまず送信され、そこに保存され、そして、そこに含まれている前記パラメータやユーザー・プログラムに関するデータ情報の全てが前記送信によって削除される。
【００２０】
対応する逆適用においては、このようにして再送信、即ち、ブートメモリ領域をネットワーク化されているか割り当てられているユーザー環境により特有にしてより適合したものにする少なくとも１回の逆方向の送信が、少しずつ行われる（請求項21）。
【００２１】
このデータの同一化は、ユーザー・プログラムを書き換えないように設計することができる。せいぜい、ユーザー・プログラムによって与えられ、変更することができると定義されている（請求項22）少なくとも１つの制御部材の少なくとも１つの構造が、保存によって変更される程度である。その一方で、ユーザー・プログラムの少なくとも複数の部分を慎重に書き換えるプロセスを与えることもできる（請求項５〜９、請求項18, 19）。書き換えプロセスとプログラムセグメントの新しい定義とが、例えば、制御プラグラム又はモニタープログラム（請求項９）として、ユーザーに特定な第二のパラメータの一部として行われる。これは、機械制御部のメインメモリにおける変更又はアップデートによって、例えば、駆動制御部のメインメモリに直接的に作用するＰＣツールを用いて行うことができる。このようにして実行されてきたプログラム制御は、データ同一化に応答してブートメモリを有するモジュールに送られ、そこで、適切なユーザー・プログラム、又はより大きなユーザー・プログラムの少なくとも一部（請求項８）を書き換える。起動に応答して、或いは、新しい起動に応答して、反対の方法を選択することもできる（請求項５）。複数のユーザー・プログラムをブートメモリ領域から少なくとも部分的に送信して、機械制御部のメインメモリのミラーブートメモリ領域に保存されていた対応するユーザー・プログラム（又はその少なくともいくつかの部分）を書き換える。
【００２２】
データの送信を行うと（請求項10）、機械に関係するデータのこのデータ送信に伴って変更箇所の保存も行われる（請求項19）。この変化は最終的かつ決定的であり、変更を保存する場所（即ち、リモートホストバックアップ保存、又は機械制御部に配置されているミラーブート保存）に先に作られたもののバックアップコピーを保持することがない。
【００２３】
換言すれば、機械制御部は、最初はブートメモリ領域である親装置に駆動される子装置として動作する（請求項23）と言うことができる。親メモリ領域から子メモリ領域への送信の後には、機械制御部は親装置としての性質を有し、ブートメモリ領域を子装置という意味でのバックアップ保存メモリとして扱う。アップデートされた機械に関係するデータは、第一及び第二パラメータとしてブートメモリ領域に書き込まれ、最初の起動に応答してブートメモリ領域から提供された適切なパラメータを削除する（書き換える）。
【００２４】
しかしながら、この割り当ては不可逆ではなく、機械制御部が再び操作状態に置かれなければならないときには、即ち、部品の交換が行われたり他の点検理由が生じたりした場合には、役割が反転する。すると、ブートメモリ領域が、ユーザー環境のために保存しておいた、第一及び第二のパラメータを送信するために、親装置機能を再び引き受ける。ミラーブートメモリ領域に残っている可能性のあるなしに関わらず、この機械関係のデータの全ては送信されて保存され、一般に理解されている起動が行われる。
【００２５】
それぞれに上位の親装置機能を割り当てるシステムによって、ユーザー環境のための第一及び第二のパラメータが１つも失われることがないことが長期的には保証される。その代わり、これらのパラメータは操作中にブートメモリ領域に徐々に戻されてそこで書き換えられる。起動に応答して、パッケージ又は束としてこのようなパラメータがそこからもう一度取り出される。
【００２６】
このような送信の開始は様々な方法で行うことができる。これらの方法の内の１つは既に記載したが、ミラーブートメモリ領域における有効なパラメータ又は有効なプログラムを識別することによって行われる（請求項26）。他の方法としては、駆動システムの作動開始（ターン・オン）プロセスであり、それに応答してブートメモリ領域からの送信が開始される。ここで言う開始はもともと送信を行って制御を機械制御部に移すルーチンの作動開始を意味し、機械制御部は引き続いてメインメモリから送信されたデータで作動する。
【００２７】
送信プロセスの考え得る別の開始方法としては、動作停止（ターン・オフ）プロセスがある。ターン・オフプロセスは現在有効である第一及び第二のパラメータの全てをメインメモリからブートメモリに確実に送信するために、最初に完全な送信を行い、次いで駆動配置の動作停止（ターン・オフ）プロセスを自由に制御する第二ルーチンを開始することができる。
【００２８】
ブートメモリ領域に与えられたデータは、完全な特定データであってはならず、一定の一般化を含むことができ、これは、いわゆるデフォルト設定である。即ち、デフォルト設定は完全にアプリケーションに適合していないばかりでなく、全くアプリケーションに適合しておらず、また特有のものでもない（請求項12）。この未加工の情報の適用は、まず、駆動システムの動作中に起こる。そこから、将来の起動のために、利用できるユーザー環境にこのメモリ領域をよりよく適合させるように、データ同一化によって情報がブートメモリ領域にも戻される。
【００２９】
前記ブートメモリ領域が１回又は複数回分割されれば、ブートメモリ領域においてメモリ情報を複製するという意味での一種の多数化が起こる（請求項13）。
【００３０】
次いで、前記フィードバックという意味での逆送信又はデータの同一化が少なくとも２つの分割されたブートメモリについて平行して起こり、それらの内の１つを取り外して他の駆動装置におけるメインブートメモリとして使用することができる。このようにして獲得した、起動及び第一の駆動装置の動作期間から第二の駆動装置の環境に至る駆動装置情報の多数化は、前記連続的な起動を複線化して容易にする。
【００３１】
しかしながら、この連続的な起動の代わりに、ブートメモリ領域の分割を信頼性と重複性とを高める方に向け、ブートメモリ領域の内の１つがそれぞれのアップデート用の機械制御部に残り、第二のブートメモリ領域がバックアップとして取り外されて電気キャビネットの安全な場所に保存されてもよい。
【００３２】
ブートメモリ領域を形成する前記メモリは、少なくとも迅速アクセスタイムであるとされるアクセスタイムを有する読み書き両用メモリである。これらは、反応が鈍くて遅いとされる、ＲＯＭや他の書き換え可能なデータ保存媒体ではない。多くの場合、メモリは電気的メモリセル、例えば、機械制御用のＵＳＢインターフェースを有する移動可能なメモリの形態をした、例えば移動可能な「メモリスティック」として設計されている。
【００３３】
今日の移動可能なメモリスティックが有する、１０ＭＢを越えるメモリ容量のような大容量のメモリを用意する必要はない。しかしながら、ブートメモリ領域の実際のメモリ容量に要求されるよりも容量の大きいメモリを有するメモリ装置の扱い易さ又は耐久力の大きさも捨てたものではない（請求項14）。ブートメモリ領域からの起動によって独立した動作を行うのには、駆動環境に必要且つ十分なかなり容量の小さいデータ（請求項２）で、ここでは既に十分である。
【００３４】
動作の最中、即ち、モータで駆動される駆動制御システムの適切な動作中に、ブートメモリ領域が適切なプラグソケットに挿入されると、自動的に開始される、取り外し可能なブートメモリ領域を用いると、この方法は好適に具体化される。このメモリの挿入によって、モータ制御部は、使用可能な第一及び第二のパラメータについて挿入されたブートメモリ領域から情報を求められたと判断し、メインメモリからの機械に関係する使用可能なデータの全てを該ブートメモリに戻して保存する（請求項15）。そこで入手可能なデータは、完全に書き換えられるか、又は比較によって変更箇所が特定される程度のみに書き換えられる（請求項16）。この比較によっては、メインメモリにあって動作中である機械に関係するデータには対応しないブートメモリ領のデータのみがアップデートされる。逆送信と前記いわゆるメインメモリからのフィードバックは、送信ブロック内で起こる。
【００３５】
データブロックが終結した直後にブートメモリ領域が取り外されないと、その機械に関連するデータのアップデートが、機械制御部のメインメモリにおけるそれぞれのアップデートによって定まる機会に応じて引き続き行われることになる。したがって、アップデートは「ケース・バイ・ケース」で行われ、インターフェースを介したブートメモリへのデータ転送を減少させる。
【発明を実施するための最良の形態】
【００３６】
例示的態様によって、請求項に係る発明を説明すると共に補足する。
【００３７】
図１は、回路基板１に具現化された機械制御部100の概略上面図である。回路基板１は、電力スイッチ91を有してなる電力要素ＬＴ又は90を収容し、該電力要素は、直流バスシステム30から出力端子31を経て三相機械81に送られる、制御可能な交流電流を発生する。直流機械80が使用される場合は、３つの出力端子31の代わりに２つの出力端子30が用いられる。
【００３８】
直流機械を制御する、又は２相若しくは多相交流機械を制御する電力要素90の機能と操作方法とは、一般に、当業者には知られているので、ここでは、電力要素90の操作モードの詳細な説明は行わず、代わりに文献を参照する。
【００３９】
入力Ｎは多相システムを形成し、１つ又は複数の機械制御部100について整流器３を介して等しい度合に整流され、また、バスシステム30の形成に使用される。
【００４０】
ここで、機械制御部の電力要素90の作動に特に注目する。この機能部は95という符号が付され、少なくとも１つ、しかしながら、好ましくは、位置制御、電流制御、又はユーザーに特有の他の制御などの、機械に関係にする複数の制御部材を有する制御領域12からなる。機械との関係については、電流、位置、又は加速などの機械に関係する他の変数が、制御領域12にある制御部材によって影響され、ターゲット値によって誘導され、電力要素90中の操作された変数に向けられるのは言うまでもない。より大きな、メインメモリを表すメモリの一部を形成するメモリ領域50aは、制御領域12の一部である。前記メモリ領域は、ユーザーが指向する方法で迅速に読むことができるメモリモジュールの、書き換え可能なメモリセルで作られている。
【００４１】
この制御領域において、全システムはバス幅ｂのバスに接続されている。このバスは、一方で、計測された値の検知機11に向かって分岐しており、他方において、挿入と除去とが可能であるように、例えば接続片として第二メモリ領域50を収容するベースセクション15に向かって分岐している。
【００４２】
制御領域から、前記バスを介して、又は定められた制御ラインを介して、制御信号が電力要素90に至り、操作された変数及び／若しくはこの電力要素の入力信号を確立し、そしてモータ及び／又は発電機としての機械をそれに応じて制御する。
【００４３】
ベース15は、モジュールとして設計されると共にその電気的な出力端子を幅”ｂ”のデータバスと接続するメモリセクション50を収容する。メモリモジュール50がベース15にしっかり固定されて収容されながら簡単に取り外すこともできるように、機械的な安定性も与えられる。
【００４４】
制御部材に影響を与えるパラメータは、それとしては図示されていないが、各メモリ領域の成分である。パラメータはユーザーに特定のものと、明確にはパラメータではないが、メインメモリ50a中に配置されて、パラメータのように扱われるユーザー・プログラムを表すものとがある。
【００４５】
取り外すことができるメモリ領域50を、ブートメモリ領域と呼ぶことにする。名前を付けられたパラメータを表すデータがここには保存される。これらは、電力要素の設定に影響を与えるパラメータである。電力要素の設定とは、閾値、デフォルト値、及び他の設定パラメータである。これを「第一のパラメータ」と呼ぶことにする。「第二のパラメータ」は、ユーザーに特有のものであって、また、機械の型や設計に関するものである。これを、第二のパラメータグループと呼ぶことにする。これは、ある型の制御部材であり、ある閾値ＩＤ、又は「特定のアプリケーション」若しくは特定の機械に要求される特定の制御プロセスを有する。
【００４６】
通常の動作モードでは、これらのプログラム及びパラメータの全てがメインメモリ50aに保存されている。
【００４７】
あるアプリケーションが初めて起動されるときには、機械制御部は、多くの場合、先に記載したタイプの第一及び第二のパラメータの特定のデフォルト値を含んでおらず、起動エンジニアは、これらを、まず、（図示されていない）インターフェースを介して駆動システムに与えなければならない。しかしながら、ここに記載されているのは、このような起動エンジニアがインターフェースを介して追加的な予備設定を全く行う必要のない特定の設計の一例である。実際、このような起動操作は、ベース15内に配置され、バスｂと、第一及び第二のパラメータの全セグメントとして制御領域12（若しくはメモリモジュール50）にあるルーチンを介してメインメモリ50aに送られる、モジュール50（メモリモジュールとしての）を介して行われる。対応する機械80又は81と共に機械制御部100に初めて電源の投入がなされた後に、モジュールのブートメモリ領域50からベース15へのこの送信が先に起こる。こうして、ブートメモリ領域50は、そこに与えられた、グループとして前記第一及び第二のパラメータを少なくとも有している、機械に関係するデータの全てを送信する。第二のグループについては、実行することができるように送られて、メインメモリ50aに保存される、少なくとも１つのユーザー・プログラムが特に与えられている。
【００４８】
機械及び機械制御部の運転に必要であるパラメータ（第一及び第二グループ）の全てが送信されると、モジュールからの機械に関係するデータ全体の送信が終了する。
【００４９】
すると、機械制御部100は自己支持が可能となり、制御部12とメインメモリ50a中にある、起動に応答して送信される機械に関係するデータとの助けを得て、機械制御部は独立して動作する。この動作モードのためにブートメモリ領域にアクセスしたり戻ったりすることは行われない。しかしながら、例えば、制御領域12における自己調節システムに起因する逆方向アップデートが行われる。自己調節システム、又は適応システムは、ユーザーに特有のあるパラメータを変更して、適当なメモリセルの出力パラメータの位置にこのように変更されたパラメータを保存する。図示されてはいないが容易に理解することのできるシーケンシャルなプログラムのルーチンにおいて、第一又は第二のグループのパラメータにおいてアップデートされたパラメータは、アップデートの状態に応じて、少しずつブートメモリ領域50に書き戻される。そこで、書き戻されたデータは出力値を置き換える。
【００５０】
駆動システム100, 80の動作の途中で、物理的なブートメモリ50がこのようにしてアップデートされ、これがフィードバックを受けて、ブートメモリの情報は未変更のままではなくなる。
【００５１】
機械100, 80について制御システムが停止されると、その時点でのシステムの状態を介して、全ての情報が一元化されたメモリ領域50で入手可能となる。再びシステムが作動開始させられる、即ち、二度目の起動がなされると、この機械に関係するデータの全部が再び問い合わせられ、メインメモリを形成する、対応するミラーブートメモリ領域50aへと引き受けられる。
【００５２】
このようにして、システムは、取り外し可能なメモリ50にバックアップコピーを作る。このバックアップコピーは静的なものではなく、新しく見出されて改造された動作状態の各々に、それ自身を動的に適応させる。
【００５３】
メモリ領域がモジュールとして取り外されれば、該モジュールを別の場所で、図示されていないが図１に対応する類似のシステムに引き継ぐことができる。連続的な起動が単純化された方法で可能になる。システムが起動されると、ブートメモリ領域50にある１セットの第一及び第二のパラメータを有して動作が開始される。一定期間の動作が続き、その間にブートメモリ領域で機械に関係するデータのアップデートが起こり、そして、そのメモリを取り外して次のシステムの起動に使用することができる。
【００５４】
「起動」という用語がここではより一般的に理解されるのは明らかである。この用語は、動作の新たなる開始と共に、１回目の開始も含むと理解される。また、これは既に動作状態になっているシステムの新しい作動手続も含む。
【００５５】
図示されていないが、図１から容易に推定することのできる例示的な一態様において、ベース15はデータネットワーク結合部15’になっている。このデータネットワーク結合部は機械制御部100から離れ、データを保存することができて双方向にバスを操作することのできる、物理的に離れたリモートデータ装置へと至っている。「リモート」と記載されることのある前記ホストは、データを集めて機械制御部の動作停止手続を許可する。機械制御部が動作開始した後、アクセスルーチンと繋がったバス制御部を介してデータを再保存する。そこで、データはミラーブートメモリ領域50aに保存され、次いで少しずつアップデートされ、前記データネットワーク結合部を介しての動作の最中に（接続片15によって）トラックされる。取り外し可能なモジュールとして設計されているメモリ50が、ここでは、リモートメモリ51として設計されていることは明らかである。リモートメモリは取り外すことはできないし、持ち運ぶこともできないが、同様に機能する。
【００５６】
このように、図２は、リモートメモリ領域を含むホスト60を概略的に示している。このホストは、データネットワーク接続部15’を介して機械制御部100に接続されており、該データネットワーク接続部は対応するプラグ接触部を介して接続プラグボード15に載置することができ、それによって、そのブートメモリ領域51を有するホスト60が前記ポータブルメモリ50として、移動することができないという以外、同じ機能を有することができる。図２ａに示された概略的なシステムも同様に機能する。この図において、参照符号60’は先の記載の参照符号60に対応し、参照符号51’は先の記載の参照符号51に対応する。
【００５７】
動作中に新しく形成されたパラメータの、リモートメモリ領域51への逆保存又はフィードバックは、第二及び第三の例示的態様において行われる。これらの態様においては、逆保存又はフィードバックが、モータ制御部の回路基板１において直接的に行われるのではなく、リモートメモリ領域51へのデータ接続部15’を介して行われる。このように、前記リモートメモリは双方向通信のために設けられている。双方向とは、リモートメモリ領域51からミラーブートメモリ領域50aへの機械に関係する全データの通信と、リモートホスト60においてブートメモリ領域51を少しずつアップデートすることとを意味する。
【００５８】
先に記載したように、制御領域12は多数の制御部材を有しており、それらは、ある特定の型の制御部材として特定の方法で設計することもできるし、オープン型の制御部材として不特定の方法で与えることもできる。これらの制御部材は、リモートメモリ51又はモジュールメモリ50からメインメモリ50aに第二のグループのパラメータが送信された後にのみ、その特定の設計を得る。このようにして、不特定の制御部材も、ユーザーの状況に対して特定である、特定制御部材になる。
【００５９】
送信の後、そして、メインメモリ50aに保存された後に、第一及び第二のグループのパラメータから送信された機械に関係するデータの全ては、機械制御部100の性質を定めている。
【００６０】
ブートメモリ領域50又は51のアップデートは、新しく習得したパラメータのデータ同一化に応答して、例えば、ユーザーに特有であって新しい開始又は新しい起動の一回一回に反応して変化されない形態でユーザー・プログラムとしてメインメモリ50aに引き渡されるプログラムをそこで書き換えることなく、行われる。このように、ブートメモリへのデータの同一化は、ブートメモリ領域50又は51からメインメモリ50aへのデータ送信ほど広範囲に行われるものではない。
【００６１】
あるいは、プログラムセグメントも書き換えることができる。フィードバックに応答して、この書き換えがミラーブートメモリでの起動に応答してブートメモリ50で起こる。
【００６２】
ブートメモリ領域50又は51からメインメモリ50aへの送信の開始の操作モードについては、図示されていない。機械制御部を作動開始させることによって、フィードバックを開始することができる。また、有効なパラメータに関して、メインメモリ50a中にある第一パラメータを試験する試験プログラムによって、又はその効率に関して第二パラメータとしてそこにあるプログラムを試験する試験プログラムによっても、送信を開始することができる。試験がプラスの結果を出さなかった場合、設計に応じてブートメモリ領域50又は51からの送信が開始され、そして実行され、完全な実行制御が親装置としての機械制御部100に再び戻される前に終了される。親装置としてのこの実行制御は、機械制御部100が停止されるまで継続する。図１ａ又は図２に従って、メインメモリにおけるメモリ領域50aをブートメモリに完全に送信する新しいルーチンは、解放前に開始する。機械制御部100の停止手続は、この送信プロセスが終了した後のみに、行うことができる。
【００６３】
このように、新しい動作開始手続に応答して、又はまた別の起動のために移動可能なブートメモリ50を取り外すことに応答して、機械に関係する現在のデータは常にブートメモリ中にあり、そこから、動作開始手続又は起動手続に応答する前記第一ルーチンによってメインメモリ50aへと送信される。
【００６４】
前記操作方法を変更することは、以下に記載する可能性を実現することができれば好ましい。
【００６５】
第一の起動は、個々のアプリケーションに対して特定の設計がない状態で、ブートメモリ領域50又は51からのデフォルト設定を与えることによっても、行うことができる。これらの設定は最小限のものではないので、モータ制御部100の通常の操作は可能ではなく、また、前期実施例で実現されたような、第一及び第二のパラメータの完全なセットも有していない。多くのアプリケーションに適切であると思われる、縮小されたデフォルト設定は、起動の最中にブートメモリからメインメモリ50aに送信され、その後に制御部を機械制御部に移転する。これによって、適切な適用方法と識別可能性とによって操作中のデフォルト設定が改善され、該デフォルト設定をアプリケーションに適合させる。続く再保存によってブートメモリ領域50又は51におけるデフォルト記憶装置が改良される。
【００６６】
デフォルト設定が、少なくとも機械80又は81の型を識別し、識別された型に特定であると共に適合するようになっていると好ましい。
【００６７】
モジュールとしてのブートメモリ50を、別々に取り外すことのできる２つの独立したモジュールに再分割することによっても、有利な設計を提供することができる。第一及び第二のグループのパラメータがこれら２つのモジュールの一方から読み出され、メインメモリ50aに書き込まれる、フォードバックによるデータの同一化に応答して、書き込みは、両方の独立したモジュールで同時に起こる。これら２つのモジュールの内の１つはそれを有して複製され、独立したモジュールとして取り外し、主装置として別の起動に使用することができる。そこで、次の起動のために第２のメモリを取り外した後に新しい独立したメモリを挿入し、第一の第一の起動システムについて行ったのと同様にして、複製を再度行うことができる。
【００６８】
第一の起動で得た情報を、このようにして、多数の取り外し可能なブートメモリに保存し、次いで、これを連続的な起動のために複製することができる。このようにして、多数の駆動装置を簡単な方法で、高度な技術を有する起動エンジニアがいなくても使用することができる。
【００６９】
２台以上の独立したブートメモリ50（以後、独立したメモリ要素50’50”とする。）の他の使用も可能である。それらの内の１つは、永久的なバックアップとして電気キャビネットの安全な場所に保管しておくことができ、故障や過誤の場合に緊急のバックアップとして使用することができる。スロット15の外側に保管されている、この緊急時用バックアップ50”が、参照符号50、そして50'で示されているメインブートメモリが経験しているアップデートを受けていないことは、言うまでもない。このような緊急時補償のために、制御領域12で別のルーチンを実行可能な方法で作動開始させることができる。このルーチンは、アップデートされていないメモリ50”が、メインブートメモリ50’に隣接するベース15に挿入されたときに、開始される。以上の各場合においては、ベース15が延長されるか、メモリが短くなる。
【００７０】
平行なＵＳＢポートを複数設けることが他の可能性である。そして、わずか２つのメモリよりも多い数のメモリをアップデートすることもできる。「ベース」としてのインターフェース15は、このようにして、取り外し可能なメモリ50若しくは50’又は50”、又は更なるメモリからのデータ接続部であることが一般に理解されている。このデータ接続部は、電気的な接続に加えて、物理的な保持機能も提供することができる。
【００７１】
マスターブートメモリ50に加えて、又は単独で、ベースの使用可能な位置15の１つに挿入される、新しく挿入されるブートメモリを認識すると、それに応答して制御部12におけるアップデートルーチンが開始される。メモリの容量は大きいものであってはならず、10 Mbyte未満、又は５ Mbyte未満に設計することができる。メモリ容量がより大きい移動可能なメモリスティックが使用されるとしても、より容量の大きいメモリ（これが完全に使用されることはないが）の使用に対しては取り扱いが非常に重要である。
【００７２】
「ソケット」15としてのベースにブートメモリを挿入することに応答する再保存は、２つの方法で行うことができる。制御領域12のメインメモリ50aから第一及び第二パラメータの全部を送信することによって完全な同一化を行うこともできるし、機械に関係する全データの内のどのデータが挿入されたメモリにおいてアップデートされるべきかを表示して、当該データをアップデートする比較法で行うこともできる。後者の移転方法が時間のかからない方法であるが、第一の移転方法は単純な方法で実行することができる。
【００７３】
先に記載した具体的な事項は別の操作についても使用することができる。その例としては、アプリケーションのために得た機械に関係するデータをバックアップ保護手段はもとより、装置の交換、インテリジェント・ドライブ、起動及び連続起動などである。
【００７４】
連続的な起動のためには、取り外し可能なブートメモリ領域50にバスアドレスを割り当てることも考えることができる。このバスアドレスは、デコードスイッチを介して、メモリ領域の回路基板上に設定することができ、また、変更することができる。保存されたデータの長期に亘る永続的な保持のために、保存用バッテリ又は特定の型のメモリが適切に選択され、回路基板上に載置される。
【００７５】
ベース15（バススロットとも理解される）にメモリを挿入することによって、データの同一化又はメインメモリ50aのデータとの少なくとも初期段階のデータ比較が開始される。機械制御部100が作動を開始させられる前にブートメモリ50が挿入されているのであれば、機械に関係するデータの送信は逆の順序で進む。引き続いて、取り外し可能なブートメモリ領域50は他の起動のために使用することができる。
【００７６】
デコードスイッチによる調節の代わりに、バスアドレスを第一のグループのパラメータの一成分とすることもできる。同様にして、これは間接的なアドレス法に相当する。
【００７７】
完全なデータを有することなく、又は不完全なデータを有してスロット15に挿入される追加のブートメモリモジュールの各々は、既に作動を開始させられて動作状態にある機械と機械制御部とを有する駆動制御システムの機械のメインメモリ50aから、アップデートされたデータを受け取る。更なる起動のために、入手できる機械に関係するデータを多数複製することは、このように、可能である。
【００７８】
機械制御の分野において、特に機械制御部の主回路基板100全体を交換することを除き、少なくとも１つの部品又は装置の交換することによって、既に受け取っているパラメータ、及び動作中に学習したパラメータが失われることはない。そのようなデータはブートメモリ50上に配置されており、それが創られる過程で少しずつこのメモリ領域に書き込まれた。機械制御部100の突然の故障は、利用可能なデータが失われることの理由にはもはやならない。実際、そのようなデータは機械的に取り外し可能なブートメモリ50に保存されており、かなりの程度までアップデートされているのみならず、可能な限りアップデートされている。交換されることになる機械制御部100から当該メモリを取り外して、新しくインストールされた機械制御部100*（図示せず）の図示されていないスロット15*に挿入することによって、人員及び時間に関して長々しい起動を行うことなく、直ちに、新しい機械制御部をそれまでの機械制御部100を完全に利用したものとすることができる。
【００７９】
これは、電力要素又は機械制御部100の制御要素の欠陥によって生じる故障率にも適用される。
【図面の簡単な説明】
【００８０】
【図１】図１は例示的態様を示しており、それぞれ直流機械80及び三相機械81としての２つの適用において示されている機械用の機械制御部100の略図である。
【図１ａ】図１の断面を拡大したものの斜視側面図であり、接続プラグボード又はソケットボード15（接続片）を介して、機械制御部100のメイン回路基板１と電気的に接続している、取り外し可能なメモリモジュール50を示している。電気的接続と機械的接続との両方を除去することができ、モジュール50が接続片15から取り外されるときに両者は除去される。
【図２】図２は第２の例示的態様を示しており、ホスト60にリモートメモリ51を有する機械制御部100の略図である。
【図２ａ】ホスト60’にリモートメモリ51’を有する機械制御部100の、より概略的な第三の態様を示している。
【図１】
2009500996.tif 000003
【図１ａ】
2009500996.tif 000004
【図２】
2009500996.tif 000005
【図２ａ】
2009500996.tif 000006
【国際調査報告】
2009500996.tif 000007
2009500996.tif 000008
2009500996.tif 000009
2009500996.tif 000010
2009500996.tif 000011
2009500996.tif 000012